(57)【要約】【課題】  均一かつ十分な光ディスク保持力を得ることのできる光ディスク装置を提供する。【解決手段】  光ディスク１２を保持して記録されている情報を再生する際には、クランプ機構３０の載置部３２に光ディスク１２の記録面１２ａを載せ、突出部３３を光ディスク１２の中空部１２ｃを通ってラベル側１２ｂに貫通させ、突出部３３からチャック爪３５を出して光ディスク１２を保持する。このとき、チャック爪３５は、突出部３３の接線方向に沿った支軸３４周りに回動して光ディスク１２を把持するが、チャック爪３５の基端部３５ａが、押圧部材３６に設けられている弾性を有する押圧部３６ａにより押圧されて回動することになる。このため、特定のチャック爪３５が引っ掛かった場合には、引っ掛かっているチャック爪３５を押圧する押圧部３６ａが弾性変形することにより押圧部材３６の移動を可能にするので、他の押圧部３６ａは他のチャック爪３５の基端部３５ａを押圧する。これにより、他のチャック爪３５は光ディスク１２を確実に把持することができる。【選択図】  図１
2005346833.tif 000002
【特許請求の範囲】
【請求項１】
光ディスクを載置する載置部を有したターンテーブルと、回動して前記光ディスクに接触するチャック爪と、前記チャック爪の一端部を押圧する押圧部材と、前記押圧部材を昇降させる昇降部材とを有し、前記昇降部材の上昇により前記押圧部材が前記チャック爪の一端部を押圧して前記チャック爪が回動し前記チャック爪の他端部と前記載置部とが前記光ディスクを挟持して前記光ディスクを前記ターンテーブルに固定する光ディスク装置であって、
前記押圧部材が弾性を有している光ディスク装置。
【請求項２】
前記押圧部材と前記昇降部材とが一体形成された請求項１記載の光ディスク装置。
【請求項３】
前記押圧部材は一端側が前記昇降部材に連結された板状部材を円弧状に湾曲させた形状である請求項２記載の光ディスク装置。
【請求項４】
前記チャック爪を収納するチャック爪装着窓と、収納位置における前記チャック爪の動作を規制する収納突起を有した請求項１ないし請求項３のいずれか記載の光ディスク装置。
【請求項５】
前記押圧部材が前記収納突起の両脇に設けられた請求項４記載の光ディスク装置。
【請求項６】
前記チャック爪の背面側に収納突起の一端部が挿入可能な溝部が設けられた請求項４または請求項５の光ディスク装置。
【発明の詳細な説明】
【技術分野】
【０００１】
本発明はＣＤ(Compact Disc)やＤＶＤ(Digital Versatile Disc)等の光ディスク装置に係わり、特に、光ディスクのセンターホールをターンテーブル上に保持する光ディスク装置に関するものである。
【背景技術】
【０００２】
従来、光ディスクへの情報の記録および光ディスクに記録された情報の再生のうちの少なくともいずれか一方を行う光ディスク装置としては、光ディスクをターンテーブルに手動あるいは着脱機構によって着脱するものが知られている。(例えば、特許文献１参照)。
図１２および図１３に示すように、光ディスク装置１００において光ディスク１０１(図１３参照)を保持して回転するターンテーブル１０２は、中央に光ディスク１０１の中心孔が嵌る円形の段付部１０２ａを有した全体円盤状をしている。このターンテーブル１０２は、回転駆動手段１０３の回転中心軸１０３ａと一体になって回転するように構成され、昇降部材１０４は、ターンテーブル１０２中央部の筒部１０５に外嵌されて上下方向に摺動可能に設置されている。また、昇降部材１０４と回転駆動手段１０３の回転上面１０６との間にはバネ１０７が設けられており、昇降部材１０４を常時上方向に付勢している。昇降部材１０４の外側には作用部材１０８ａ、１０８ｂが回転中心軸１０３ａに向かって接近・離反可能に設けられており、図１２に示すように、作用部材１０８ａ、１０８ｂを昇降部材１０４とターンテーブル１０２の間に挿入させることにより、昇降部材１０４はバネ１０７の付勢カに反して下方向に移動するように構成されている。
【０００３】
また、ターンテーブル１０２の段付部１０２ａには、周方向に複数個のチャック爪装着孔１０２ｂを有しており、このチャック爪装着孔１０２ｂには光ディスク１０１の中心孔を把持するチャック爪１０９が設けられている。これらチャック爪１０９にはその基端側に回転軸部１１１が設けられていて、ターンテーブル１０２にて支持されることにより垂直回り(図１２および図１３中矢印Ｘ１、Ｘ２方向)に回動する。チャック爪１０９の押圧係止部１１２は、昇降部材１０４に一様に形成された押圧部１１３にそれぞれ当接されている(図１４参照)。従って、図１３に示すように、この昇降部材１０４が作用部材１０８ａ、１０８ｂによる押圧を解除されてバネ１０７にて上方向に移動するとき、チャック爪１０９の押圧係止部１１２は昇降部材１０４の押圧部１１３によって押し上げられて、回転軸部１１１を支点として図１２中矢印Ｘ１方向に回動する。これにより、チャック爪１０９をチャック爪装着孔１０２ｂから突出させて、図１３に示すように、ターンテーブル１０２の光ディスクを載置させる面との間で光ディスク１０１を保持する構成となっている。なお、昇降部材１０４の下降によりチャック爪１０９を係止してチャック爪装着孔１０２ｂの内部に引き込むための収納突起１１４が、押圧部１１３に隣接して設けられている。
【特許文献１】特開２００２-３５２４９６号公報(第７頁、第３図)
【発明の開示】
【発明が解決しようとする課題】
【０００４】
しかしながら、従来の光ディスク装置１００においては、昇降部材１０４に一様に形成された押圧部１１３を介してチャック爪１０９に光ディスク保持力すなわちバネ１０７による付勢力を加える構成であるため、昇降部材１０４の上方向への移動により回動された複数のチャック爪１０９の何れかのみが例えば光ディスク面がターンテーブルに対して傾斜して載せられた場合など何らかの異常で光ディスク１０１に接触すると、この時点で昇降部材１０４の上方向への移動は抑止される。このため、その他のチャック爪１０９が光ディスク１０１を完全に保持することができず、十分な光ディスク保持力を確保することができないという問題があった。
【０００５】
本発明は、従来の問題を解決するためになされたもので、従来と比較して必要となる光ディスク保持力を均一かつ十分に得ることのできる光ディスク装置を提供することを目的とする。
【課題を解決するための手段】
【０００６】
本発明の光ディスク装置は、光ディスクを載置する載置部を有したターンテーブルと、回動して前記光ディスクに接触するチャック爪と、前記チャック爪の一端部を押圧する押圧部材と、前記押圧部材を昇降させる昇降部材とを有し、前記昇降部材の上昇により前記押圧部材が前記チャック爪の一端部を押圧して前記チャック爪が回動し前記チャック爪の他端部と前記載置部とが前記光ディスクを挟持して前記光ディスクを前記ターンテーブルに固定する光ディスク装置であって、前記押圧部材が弾性を有した構成である。
【０００７】
この構成により、光ディスクを保持して記録されている情報を再生する際には、クランプ機構の載置部に光ディスクの記録面を載せ、突出部を光ディスクの中空部を通ってラベル側に貫通させ、突出部からチャック爪を出して光ディスクを保持する。このとき、チャック爪は、突出部の接線方向に沿った支軸周りに回動して光ディスクを把持するが、チャック爪の基端部が、押圧部材に設けられている弾性を有する押圧部により押圧されて回動することになる。このため、特定のチャック爪が引っ掛かった場合には、引っ掛かっているチャック爪を押圧する押圧部が弾性変形することにより押圧部材の移動を可能にするので、他の押圧部は他のチャック爪の基端部を押圧する。これにより他のチャック爪で光ディスクを確実に把持することができる。
【０００８】
また、本発明の光ディスク装置は、前記押圧部材と前記昇降部材とが一体形成された構成を有している。
この構成により、押圧部が昇降部材に一体成形されているので、部品点数の増加を防止することができる。
【０００９】
また、本発明の光ディスク装置は、前記押圧部材は一端側が前記昇降部材に連結された板状部材を円弧状に湾曲させた形状である構成を有している。
この構成により、昇降部材の強度を保ちつつ、押圧部は簡単な構成で充分な弾性を有することができる。
【００１０】
また、本発明の光ディスク装置は、前記チャック爪を収納するチャック爪装着窓と、収納位置における前記チャック爪の動作を規制する収納突起を有した構成を有している。
この構成により、光ディスクの挟持動作の際にチャック爪の回動角度を小さくすることができ、押圧部の動作距離を短くすることができ、確実に光ディスクを挟持できるとともに、ターンテーブルを薄型化できる。
【００１１】
また、本発明の光ディスク装置は、前記押圧部材が前記収納突起の両脇に設けられた構成を有している。
この構成により、チャック爪の押圧面積を広くとることができ、より確実に安定してチャック爪を押圧することができる。
【００１２】
また、本発明の光ディスク装置は、前記チャック爪の背面側に収納突起の一端部が挿入可能な溝部が設けられた構成を有している。
この構成により、昇降部材の径を太くすることができ、昇降部材は光ディスク載置面に平行な方向における安定性を増すことができるので、押圧部が確実にチャック爪を押圧することができる。
【発明の効果】
【００１３】
本発明は、チャック爪を押圧する押圧部を弾性を有するように形成することにより、押圧部材がすべてのチャック爪を均一且つ十分な付勢力で押圧することができるため、十分な光ディスク保持力を確保することができるという効果を有する光ディスク装置を提供することができるものである。
【発明を実施するための最良の形態】
【００１４】
以下、本発明の実施の形態の光ディスク装置について、図面を用いて説明する。
図１には、本発明の実施の形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００１５】
図２および図３には、カーオーディオ装置１に内蔵されている本発明の実施形態である光ディスク装置１０の、図１中II−II位置およびIII−III位置における断面図が示されている。
図２および図３に示すように、光ディスク装置１０は、矩形箱状の本体１３と、この本体１３内において光ディスク１２を積層収納するための複数枚のトレイ１４と、本体１３内の所定高さ位置に固定された基台１５に設けられ所定のトレイ１４間を開閉する図示していないトレイ開閉手段と、基台１５に設けられている軸１６を中心に矢印Ａで示す方向に回動可能に支持された演奏部２０とを備えている。
【００１６】
演奏部２０は、軸１６を中心として回動する平板状のサスシャーシ２１を有しており、このサスシャーシ２１には光ディスク１２を保持して回転するクランプ機構３０を有している。また、サスシャーシ２１には、クランプ機構３０に保持され回転する光ディスク１２にアクセスすべく、サスシャーシ２１に沿って往復移動可能に支持されているピックアップ２２と、このピックアップ２２を移動させる駆動モータ２３およびリードスクリュ２３ａとを備えている。なお、サスシャーシ２１の軸１６の近傍には、糸瓜状のカム溝２４が形成されており、回動駆動プレート２５に植設された回動駆動軸２６が係合している。
【００１７】
次に、図４から図１１に基づいて、クランプ機構３０を詳細に説明する。
クランプ機構３０はサスシャーシ２１の先端に設けられ光ディスク１２を保持して回転するターンテーブル３１を有しており、光ディスク１２の記録面１２ａ(図７参照)が載置可能な載置部３２と、この載置部３２から光ディスク１２の中空部１２ｃ(図２参照)を通過して光ディスク１２のラベル面１２ｂ(図７参照)側に突出可能な略円筒状の突出部３３と、この突出部３３の接線方向に沿う支軸３４を支点として回動することにより突出部３３の周面における複数個所(ここでは、例えば３箇所)のチャック爪装着窓３７からラベル面１２ｂに係合するように突没可能な複数のチャック爪３５と、突出部３３の軸線に沿って移動することにより各チャック爪３５の一端部である基端部３５ａを押圧する押圧部３６ａが設けられた押圧部材３６とを備えている。そして、押圧部材３６は弾性を有している。
【００１８】
図６および図８に示すように、ターンテーブル３１の中心には回転中心方向に筒部３８が設けられており、この筒部３８の内部には中心軸貫通穴３８ａが貫通して設けられている。この中心軸貫通穴３８ａには、回転駆動手段としての回転モータ３９の回転軸３９ａが嵌着されており、回転モータ３９によりターンテーブル３１が回転駆動されるようになっている。また、ターンテーブル３１の筒部３８には、載置部３２と垂直な方向(図面の上下方向)に摺動可能に設置された昇降部材４０が外嵌されており、この昇降部材４０と回転モータ３９の上面３９ｂとの間には昇降部材４０を上方に付勢するバネ４３が設けられている。ターンテーブル３１の突出部３３側面には、周方向に等間隔(例えば中心角度１２０度)でチャック爪装着窓３７が設けられており、チャック爪３５が出没自在に設けられている。
【００１９】
図９に示すように、チャック爪３５の下部には支軸３４が設けられており、この支軸３４の近傍には下方に突出する基端部３５ａが設けられている。チャック爪３５の本体中央内部には、溝部としての段付き溝部３５ｂが形成されている。
また、図５(Ｂ)および図１０に示すように、昇降部材４０はその中央に内壁４１ａと外壁４１ｂからなる二重壁構造の円筒部４１が一体的に形成されており、内壁４１ａの内側にはターンテーブル３１の筒部３８に外嵌する貫通穴部４２が形成されている。また、内壁４１ａと外壁４１ｂとの間には、バネ４３を保持するための保持溝４１ｃが形成されており、円筒部４１の最外周には、先端に係止部４４ａを持ち下端部に屈曲部４４ｂを有する収納突起４４が、チャック爪３５の設置個所に対応して設けられている。収納突起４４の係止部４４ａは、昇降部材４０が下降する際にチャック爪３５の段付き溝部３５ｂを係止して、チャック爪３５を支軸３４回りに回動させてチャック爪装着窓３７の内側へ引き込むようになっている。
【００２０】
図１１に示すように、収納突起４４の左右近傍には、昇降部材４０の上昇に伴ってチャック爪３５の基端部３５ａを押圧し、チャック爪３５を支軸３４周りに回動させて、チャック爪装着窓３７からチャック爪３５を突出させる押圧部材３６が設けられている。この押圧部材３６には、屈曲部により弾性的に形成された押圧部３６ａが一体的に設けられており、チャック爪３５の基端部３５ａを弾性的に押圧して、チャック爪３５の他端部である先端部３５ｃと載置部３２との間に光ディスク１２を保持するようになっている。
【００２１】
図５(Ａ)および図７(Ａ)に示すように、ターンテーブル３１と昇降部材４０との間には、昇降部材４０をバネ４３の付勢力に反して下降させるための昇降レバー４５Ｌ、４５Ｒが挿入可能に設けられている。昇降レバー４５Ｌ、４５Ｒは、サスシャーシ２１の先端部においてターンテーブル３１を挟んで対向する位置に一対設けられており、各々回動中心４６によりサスシャーシ２１に回動可能に設けられている。なお、昇降レバー４５Ｌ、４５Ｒの先端は、テーパ４５ａが設けられており、ターンテーブル３１と昇降部材４０との間に挿入して昇降部材４０を下降させるようになっている。
【００２２】
サスシャーシ２１の先端部下面には、左右の昇降レバー４５Ｌ、４５Ｒを連結する連結板４７が、ターンテーブル３１の中心と同軸を中心として回動可能に設けられており、左右両端部には作用軸４７Ｌ、４７Ｒが上方に向けて設けられている。この作用軸４７Ｌ、４７Ｒは、各々左右の昇降レバー４５Ｌ、４５Ｒに設けられているカム溝４８Ｌ、４８Ｒに移動自在に嵌入している。一方、サスシャーシ２１の下面には駆動レバー４９が長手方向に沿って移動可能に設けられており、先端には駆動軸４９ａが上向きに設けられていて、連結板４７に設けられているカム溝４７ｃに移動自在に嵌入している。
【００２３】
次に、本実施の形態に係る光ディスク装置１０における光ディスク１２の保持動作について説明する。
ターンテーブル３１に光ディスク１２が搭載される前、図５および図６に示すように複数のチャック爪３５はターンテーブル３１のデチャック爪装着窓３７の内側に格納されている。この状態で光ディスク１２がターンテーブル３１の載置部３２に搭載されると、図示せぬ駆動手設により、駆動レバー４９が光ディスク１２の中心方向(図４中Ｐ方向)へ移動を開始する。これにより、駆動レバー４９の駆動軸４９ａが連結板４７のカム溝４７ａの端面に当接して、連結板４７を反時針方向へ回動させ、連結板４７の作用軸４７Ｌ、４７Ｒが昇降レバー４５Ｌ、４５Ｒのカム溝４８Ｌ、４８Ｒの端面を押して、両昇降レバー４５Ｌ、４５Ｒをターンテーブル３１の中心から離れる方向（図５（Ａ）中矢印方向）へ移動させる。これにより、両昇降レバー４５Ｌ、４５Ｒをターンテーブル３１と昇降部材４０との間から離脱させ、昇降部材４０はバネ４３の付勢力により上昇する。
【００２４】
このとき、図６に示すように、昇降部材４０の上昇に伴って押圧部材３６の押圧部３６ａが、複数のチャック爪３５の基端部３５ａに当接して押し上げるので、複数のチャック爪３５は支軸３４を中心として図６中矢印方向に回転して、チャック爪装着窓３７から突出して、光ディスク１２を把持する（図８参照）。ここで、ターンテーブル３１に搭載されている光ディスク１２の傾きやチャック爪３５などの構成部品の寸法バラツキなどにより、複数のチャック爪３５の何れか一つが先に光ディスク１２に接触した場合においても、昇降部材４０の押圧部材３６に一体的に設けられている押圧部３６ａの弾性作用により昇降部材４０の上方向への摺動は阻止されることはなく継続する。このため、他のチャック爪３５もチャック爪装着窓３７から突出して光ディスク１２を保持することになり、確実に光ディスク１２を保持することができる。
【００２５】
一方、図７および図８に示す光ディスク保持状態から光ディスク１２を解除する場合、まず、駆動レバー４９をターンテーブル３１から離れる方向(図４中Ｑ方向))へ移動させる。これにより駆動レバー４９の先端に設けられた駆動軸４９ａと連結板４７のカム溝４７ａの作用により、連結板４７は図７(Ａ)中の時針方向へ回転し、作用軸４７Ｌ、４７Ｒを介して昇降レバー４５Ｌ、４５Ｒをターンテーブル３１の中心方向（図７（Ａ）中矢印方向）に向かってそれぞれ回転させる。この回転動作により、昇降レバー４５Ｌ、４５Ｒは昇降部材４０とターンテーブル３１の間に割り込み、バネ４３の付勢力に反して昇降部材４０を回転モータ３９側（図８において下方）へ移動させる。このとき、昇降部材４０の押圧部３６ａは、チャック爪３５の基端部３５ａから離反するとともに、昇降部材４０の収納突起４４の係止部４４ａがチャック爪３５の背面に設けられた段付き溝部３５ｂと係合するため、チャック爪３５は支軸３４を回転支点として図８中矢印方向に回動する。これにより、光ディスク１２の保持は解除されて、チャック爪３５は、チャック爪装着窓３７の内部に収納され、光ディスク１２の保持は解除されて、図５の状態に戻る。また、図５の状態において、チャック爪３５の背面側と収納突起４４の一端部が接触状態を維持することでチャック爪３５がさらにターンテーブル３1の中心側に倒れることがないように収納突起４４がチャック爪３５の動作を規制している。
なお、収納突起４４の係止部４４ａをチャック爪３５の背面に設けられた段付き溝部３５ｂと係合させてチャック爪３５を収納させるほかに、チャック爪３５の自重を利用して昇降部材４０の下降動作中に基端部３５ａと押圧部３６ａとを接触させながらチャック爪３５をチャック爪装着窓３７の収納位置まで案内するようにチャック爪３５および押圧部３６ａの形状を決定し、昇降部材４０の昇降動作に応じてチャック爪３５を収納するようにしてもよい。
【００２６】
このような本発明の実施の形態の光ディスク装置１０によれば、昇降部材４０の押圧部材３６に一体的に設けられている押圧部３６ａを、屈曲部を設けて弾性的に形成することにより、複数のチャック爪３５すべてが均一且つ十分な付勢カで光ディスク１２に係合することができ、必要な光ディスク保持力を確保することができ、光ディスクを確実にターンテーブル上に保持することができる。
なお、駆動レバー４９の駆動源について本実施の形態においては図示していないが、専用の駆動源を設けてもよいし、例えば図２および図３に示したような光ディスク装置１０において、サスシャーシ２１を回動させる一連の動作駆動源を利用するようにしても良い。
【００２７】
図２および図３を参照して、光ディスク１２の再生動作について説明する。
まずトレイ開脚手段によって所定のトレイ１４間を開く。次に、図示せぬ駆動源により回動駆動プレート２５を回動させ、カム溝２４と回動駆動軸２６との協働により、サスシャーシ２１を図２に示す待機位置から図３に示す再生位置まで軸１６を中心に矢印Ａ方向に回動させる。これにより、サスシャーシ２１を所定のトレイ１４間に挿入する。さらに駆動レバー４９を光ディスク中心方向へ移動させることで図３に示すような再生可能状態となり、前述したクランプ機構３０により光ディスク１２を保持する。光ディスク１２を回転させるとともにピックアップ２２をサスシャーシ２１に沿って移動させながら、光ディスク１２に記録されている情報を再生する。
【００２８】
なお、本発明は、前述したような複数枚の光ディスク１２を積層収容し、選択的に光ディスク１２の再生を行う光ディスク装置１０に限らず、光ディスク１２を１枚ずつ挿入して再生するタイプの光ディスク装置にも同様に適用することができる。
【産業上の利用可能性】
【００２９】
以上のように、本発明に係る光ディスク装置は、チャック爪を押圧して回転させる昇降部材の押圧部を弾性を有するように形成することにより、すべてのチャック爪が均一且つ十分な付勢力で回転させることができるため、十分な光ディスク保持力を確保することができるという効果を有し、ＣＤやＤＶＤ等の光ディスク装置に係わり、特に、光ディスクのセンターホールをターンテーブル上に保持する光ディスク装置等として有用である。
【図面の簡単な説明】
【００３０】
【図１】本発明の実施の形態における光ディスク装置を内蔵したカーオーディオ装置を示す全体斜視図
【図２】図１中II−II位置から見た本発明にかかる光ディスク装置の待機状態を示す平面図
【図３】図１中III−III位置から見た本発明にかかる光ディスク装置の再生状態を示す平面図
【図４】（Ａ）は、演奏部の平面図  （Ｂ）は、演奏部の正面図
【図５】（Ａ）は、クランプ機構の平面図  （Ｂ）は、（Ａ）中Ｂ−Ｂ位置におけるクランプ機構の断面図
【図６】クランプ機構の要部拡大断面図
【図７】（Ａ）は、クランプ機構の平面図  （Ｂ）は、（Ａ）中Ｂ−Ｂ位置におけるクランプ機構の断面図
【図８】クランプ機構の要部拡大断面図
【図９】（Ａ）は、チャック爪の平面図  （Ｂ）は、（Ａ）中Ｂ方向から見たチャック爪の側面図  （Ｃ）は、（Ａ）中Ｃ−Ｃ位置におけるチャック爪の断面図
【図１０】昇降部材の断面図
【図１１】押圧部を示す拡大斜視図
【図１２】従来の光ディスク装置のクランプ機構による光ディスクの非保持状態を示す断面図
【図１３】従来の光ディスク装置のクランプ機構による光ディスクの保持状態を示す断面図
【図１４】従来の光ディスク装置におけるクランプ機構の要部拡大断面図
【符号の説明】
【００３１】
１０  光ディスク装置
１２  光ディスク
３１  ターンテーブル
３２  載置部
３５  チャック爪
３５ａ  基端部（一端部）
３５ｂ  段付き溝部（溝部）
３５ｃ  先端部（他端部）
３６  押圧部材
３７  チャック爪装着窓
４０  昇降部材
４４  収納突起
【図１】
2005346833.tif 000003
【図２】
2005346833.tif 000004
【図３】
2005346833.tif 000005
【図４】
2005346833.tif 000006
【図５】
2005346833.tif 000007
【図６】
2005346833.tif 000008
【図７】
2005346833.tif 000009
【図８】
2005346833.tif 000010
【図９】
2005346833.tif 000011
【図１０】
2005346833.tif 000012
【図１１】
2005346833.tif 000013
【図１２】
2005346833.tif 000014
【図１３】
2005346833.tif 000015
【図１４】
2005346833.tif 000016